(57)【要約】【課題】コンテンツの訴求効果を向上させること。【解決手段】本願に係る配信装置は、取得部と、決定部とを有する。取得部は、音声又は字幕である付加情報が付加された一のコンテンツの配信実績として、複数の付加情報のいずれかと一のコンテンツとの組合せ毎に、一のコンテンツの配信実績を取得する。決定部は、取得部によって取得された一のコンテンツの配信実績に基づいて、所定のコンテンツに付加する付加情報を決定する。【選択図】図３
2018200615.tif 000002
【特許請求の範囲】
【請求項１】
音声又は字幕である付加情報が付加された一のコンテンツの配信実績として、複数の付加情報のいずれかと前記一のコンテンツとの組合せ毎に、前記一のコンテンツの配信実績を取得する取得部と、
前記取得部によって取得された前記一のコンテンツの配信実績に基づいて、所定のコンテンツに付加する付加情報を決定する決定部と、
を備えたことを特徴とする配信装置。
【請求項２】
前記取得部は、
前記一のコンテンツの配信実績として、複数の付加情報のいずれかと前記所定のコンテンツとの組合せ毎に、前記配信実績を取得し、
前記決定部は、
前記複数の付加情報のうち、前記所定のコンテンツに付加する付加情報を決定する、
ことを特徴とする請求項１に記載の配信装置。
【請求項３】
前記決定部は、
前記複数の付加情報のうち、前記一のコンテンツとは異なる所定のコンテンツに付加する付加情報を決定する、
ことを特徴とする請求項１に記載の配信装置。
【請求項４】
前記決定部は、
前記複数の付加情報のいずれかと前記所定のコンテンツとの各組合せにおける配信割合を決定する、
ことを特徴とする請求項１〜３のいずれか１つに記載の配信装置。
【請求項５】
前記所定のコンテンツと前記複数の付加情報とを前記所定のコンテンツの提供主から受け付ける受付部をさらに備え、
前記決定部は、
前記受付部によって受け付けられた複数の付加情報のうち、前記所定のコンテンツに付加する付加情報を決定する、
ことを特徴とする請求項１〜４のいずれか１つに記載の配信装置。
【請求項６】
前記受付部は、
前記複数の付加情報として、前記所定のコンテンツに流れるＢＧＭ（Background  Music）であって、メロディが異なる複数のＢＧＭを受け付ける、
ことを特徴とする請求項５に記載の配信装置。
【請求項７】
前記受付部は、
前記複数の付加情報として、前記所定のコンテンツに流れるＢＧＭであって、テンポが異なる複数のＢＧＭを受け付ける、
ことを特徴とする請求項５に記載の配信装置。
【請求項８】
前記受付部は、
前記複数の付加情報として、前記所定のコンテンツに流れるナレーションであって、声質が異なる複数のナレーションを受け付ける、
ことを特徴とする請求項５に記載の配信装置。
【請求項９】
前記受付部は、
前記複数の付加情報として、前記所定のコンテンツに流れるナレーションであって、口調、方言及び語尾の少なくとも１つが異なる複数のナレーションを受け付ける、
ことを特徴とする請求項５に記載の配信装置。
【請求項１０】
前記受付部は、
前記複数の付加情報として、前記所定のコンテンツに流れるナレーションであって、読み上げられる内容が異なる複数のナレーションを受け付ける、
ことを特徴とする請求項５に記載の配信装置。
【請求項１１】
前記取得部は、
前記配信実績として、前記一のコンテンツのインプレッション数、ＣＰＭ（Cost  Per  Mille）、クリック数、ＣＰＣ（Cost  Per  Click）、ＣＰＡ（Cost  Per  Action，  Cost  Per  Acquisition）、閲覧時間のいずれか一つを取得する、
ことを特徴とする請求項１〜５のいずれか１つに記載の配信装置。
【請求項１２】
コンピュータが実行する配信方法であって、
音声又は字幕である付加情報が付加された一のコンテンツの配信実績として、複数の付加情報のいずれかと前記一のコンテンツとの組合せ毎に、前記一のコンテンツの配信実績を取得する取得工程と、
前記取得工程によって取得された前記一のコンテンツの配信実績に基づいて、所定のコンテンツに付加する付加情報を決定する決定工程と、
を備えたことを特徴とする配信方法。
【請求項１３】
音声又は字幕である付加情報が付加された一のコンテンツの配信実績として、複数の付加情報のいずれかと前記一のコンテンツとの組合せ毎に、前記一のコンテンツの配信実績を取得する取得手順と、
前記取得手順によって取得された前記一のコンテンツの配信実績に基づいて、所定のコンテンツに付加する付加情報を決定する決定手順と、
をコンピュータに実行させることを特徴とする配信プログラム。
【発明の詳細な説明】
【技術分野】
【０００１】
本発明は、配信装置、配信方法及び配信プログラムに関する。
【背景技術】
【０００２】
近年、インターネットの飛躍的な普及に伴い、ネットワークを介したコンテンツ（例えば動画コンテンツ）の配信が行われている。例えば、ウェブページの所定の位置に企業や商品等に関する動画コンテンツを配信することで、企業や商品等に関する訴求効果を高めることが行われている。
【０００３】
コンテンツの選定方法として、例えば、動画広告コンテンツにおいては、広告対象者の属性に応じて、最適な音声や香りを送出する技術が知られている。
【先行技術文献】
【特許文献】
【０００４】
【特許文献１】特開２０１４−６６８４号公報
【特許文献２】特開２０１０−３９３３３号公報
【発明の概要】
【発明が解決しようとする課題】
【０００５】
しかしながら、上述した従来技術では、対象者の属性を判定しているに過ぎず、コンテンツの訴求効果を向上させることができるとは限らなかった。例えば、上述した従来技術では、カメラを用いて撮影した画像データを解析することで対象者の属性を判定しているので対象者の属性を正確に判定できているとは言えず、対象者の属性と提供されるコンテンツとのマッチングに差が生まれる可能性があった。
【０００６】
本願は、上記に鑑みてなされたものであって、コンテンツの訴求効果を向上させることができる配信装置、配信方法および配信プログラムを提供することを目的とする。
【課題を解決するための手段】
【０００７】
本願に係る配信装置は、音声又は字幕である付加情報が付加された一のコンテンツの配信実績として、複数の付加情報のいずれかと前記一のコンテンツとの組合せ毎に、前記一のコンテンツの配信実績を取得する取得部と、前記取得部によって取得された前記一のコンテンツの配信実績に基づいて、所定のコンテンツに付加する付加情報を決定する決定部と、を備えたことを特徴とする。
【発明の効果】
【０００８】
実施形態の一態様によれば、コンテンツの訴求効果を向上させることができる配信装置、配信方法および配信プログラムを提供することができる。
【図面の簡単な説明】
【０００９】
【図１】図１は、実施形態に係る配信処理の一例を示す図である。
【図２】図２は、実施形態に係る配信処理システムの構成例を示す図である。
【図３】図３は、実施形態に係る配信装置の構成例を示す図である。
【図４】図４は、実施形態に係る動画情報記憶部の一例を示す図である。
【図５】図５は、実施形態に係る配信装置による配信処理手順を示すフローチャートである。
【図６】図６は、配信装置の機能を実現するコンピュータの一例を示すハードウェア構成図である。
【発明を実施するための形態】
【００１０】
以下に、本願に係る配信装置、配信方法及び配信プログラムの実施形態について図面を参照しつつ詳細に説明する。なお、この実施形態により本願に係る配信装置、配信方法及び配信プログラムが限定されるものではない。
【００１１】
〔１．配信装置の情報処理〕
まず、図１を用いて、実施形態に係る配信処理の一例について説明する。図１は、実施形態に係る配信処理の一例を示す図である。図１では、配信装置１００により配信処理が実行される例を示す。
【００１２】
図１に示すように、実施形態に係る配信装置１００は、広告主端末１０から、動画や静止画等である広告コンテンツと、かかる広告コンテンツに付加される複数の音声情報との入稿を受け付け、複数の音声情報のいずれかを付加した広告コンテンツを端末装置２０に配信する。なお、以下の実施形態では、広告コンテンツが動画であるものとして説明し、以下では動画である広告コンテンツを「動画広告」と表記する。
【００１３】
以下、図１を用いて、配信装置１００による動画広告の配信処理の一例を流れに沿って説明する。
【００１４】
図１において、広告主端末１０は、広告主ＣＬ１１の操作に従って、動画広告Ａ１と、異なる複数の音声情報Ｖ１〜Ｖ３とを配信装置１００に入稿する（ステップＳ１１）。具体的には、広告主端末１０は、動画広告とともに、かかる動画広告に対応する音声情報として異なる複数のＢＧＭ（Background  Music）を入稿する。例えば、広告主端末１０は、複数のＢＧＭとして、メロディが異なるＢＧＭや、テンポが異なるＢＧＭ等を入稿する。端末装置２０は、ユーザ群に属するユーザのいずれかによって操作される。図１に示すユーザ群はそれぞれ端末装置２０を有する。それぞれのユーザが異なる端末装置２０を所持するが、以下では各端末装置２０を区別する必要がないため、端末装置２０と表記する。
【００１５】
続いて、配信装置１００は、端末装置２０から、動画広告の配信要求を受け付ける。動画広告の配信要求を受け付けた配信装置１００は、複数の音声情報Ｖ１〜Ｖ３のいずれかを付加した動画広告Ａ１を配信する（ステップＳ１２）。このとき、配信装置１００は、ユーザ群のいずれかのユーザから動画広告の配信要求を受け付けるたびに、複数の音声情報Ｖ１〜Ｖ３のいずれかを付加した動画広告Ａ１を配信する。例えば、配信装置１００は、複数の音声Ｖ１〜Ｖ３と動画広告Ａ１との各組合せにおける配信割合を均等として、配信する。つまり、配信装置１００は、動画広告Ａ１と音声Ｖ１との組合せと、動画広告Ａ１と音声Ｖ２との組合せと、動画広告Ａ１と音声Ｖ３との組合せとの配信割合が１：１：１となるように配信する。
【００１６】
続いて、配信装置１００は、端末装置２０に異なる複数の音声情報Ｖ１〜Ｖ３のいずれかと動画広告Ａ１との組合せ毎に配信した配信実績として、動画広告Ａ１のＣＴＲ（Click  Through  Rate）を取得する（ステップＳ１３）。
【００１７】
そして、配信装置１００は、ＣＴＲが相対的に高かった音声情報が付加された動画広告の配信割合を増やし、ＣＴＲが相対的に低かった音声情報が付加された動画広告の配信割合を減らす（ステップＳ１４）。例えば、配信装置１００は、ＣＴＲを配信割合に反映する。図１の例では、動画広告Ａ１と音声Ｖ１との組合せではＣＴＲが０．２、動画広告Ａ１と音声Ｖ２との組合せではＣＴＲが０．７、動画広告Ａ１と音声Ｖ３との組合せではＣＴＲが０．１である。この場合、配信装置１００は、動画広告Ａ１と音声Ｖ１との組合せと、動画広告Ａ１と音声Ｖ２との組合せと、動画広告Ａ１と音声Ｖ３との組合せとの配信割合が２：７：１となるように配信する。
【００１８】
そして、配信装置１００は、ＣＴＲから決定した配信割合に基づいて、異なる複数の音声情報Ｖ１〜Ｖ３のいずれかを付加した動画広告Ａ１を端末装置２０に配信する（ステップＳ１５）。
【００１９】
このように、実施形態に係る配信装置１００は、複数の音声情報と動画広告との各組合せの中から、訴求効果が高くなると想定される音声情報と動画広告との組合せにおける配信割合をＣＴＲの変動に伴って順次調節しつつ、音声情報を付加した動画広告を配信する。
【００２０】
これにより、同一の一つの動画広告であっても、音声情報が異なることでユーザがクリックするか否か変動する可能性が考えられるが、実施形態に係る配信装置１００は、動画広告にとって訴求効果が高くなると想定される音声情報を付加した上で配信することができるので、動画広告の訴求効果を向上することができる。
【００２１】
〔２．配信システムの構成〕
次に、図２を用いて、実施形態に係る配信処理システムの構成について説明する。図２は、実施形態に係る配信処理システムの構成例を示す図である。図２に示すように、配信システム１は、配信装置１００と、広告主端末１０と、端末装置２０と、コンテンツサーバ３０とを含む。配信装置１００、広告主端末１０、端末装置２０及びコンテンツサーバ３０は、ネットワークＮを介して有線又は無線により通信可能に接続される。なお、図２に示す配信システム１には、複数台の広告主端末１０や、複数台の端末装置２０や、複数台のコンテンツサーバ３０や、複数台の配信装置１００が含まれてもよい。
【００２２】
広告主端末１０は、広告主によって利用される情報処理装置である。例えば、広告主端末１０は、デスクトップ型ＰＣ（Personal  Computer）や、ノート型ＰＣや、タブレット端末や、携帯電話機や、ＰＤＡ（Personal  Digital  Assistant）等である。また、広告主端末１０は、広告主による操作に従って、動画広告と、異なる複数の音声情報とを配信装置１００に入稿する。
【００２３】
なお、広告主は、動画広告及び異なる複数の音声情報の入稿を代理店に依頼する場合がある。この場合、配信装置１００に動画広告及び異なる複数の音声情報を入稿するのは代理店となる。以下では、「広告主」といった表記は、広告主だけでなく代理店を含む概念であり、「広告主端末」といった表記は、広告主端末１０だけでなく代理店によって利用される代理店装置を含む概念であるものとする。
【００２４】
端末装置２０は、ブラウザに表示されるウェブページやアプリに表示されるコンテンツを閲覧するユーザによって利用される情報処理装置である。以下ではブラウザに表示されるウェブページやアプリに表示されるコンテンツを、ウェブコンテンツと表記する。例えば、端末装置２０は、デスクトップ型ＰＣや、ノート型ＰＣや、タブレット端末や、携帯電話機や、ＰＤＡ等である。また、端末装置２０は、ユーザによる操作に従ってコンテンツサーバ３０からウェブコンテンツ等のコンテンツを取得し、配信装置１００から動画広告である各種広告コンテンツを取得し、取得した広告コンテンツをウェブコンテンツに設けられている所定の表示枠に表示する。
【００２５】
コンテンツサーバ３０は、端末装置２０にウェブコンテンツを配信するウェブサーバ等である。例えば、コンテンツサーバ３０は、ニュースサイト、オークションサイト、天気予報サイト、ショッピングサイト、ファイナンス（株価）サイト、路線検索サイト、地図提供サイト、旅行サイト、飲食店紹介サイト、ウェブブログ等を端末装置２０に配信する。
【００２６】
ここで、コンテンツサーバ３０によって配信されるウェブコンテンツには、コンテンツ取得命令が含まれる。例えば、ウェブコンテンツを形成するＨＴＭＬ（HyperText  Markup  Language）により記述されたＨＴＭＬファイル等には、配信装置１００のＵＲＬ（Uniform  Resource  Locator）等がコンテンツ取得命令として記述される。この場合、端末装置２０は、ＨＴＭＬファイル等に記述されているＵＲＬにアクセスすることで、配信装置１００から動画広告を取得する。
【００２７】
配信装置１００は、動画広告の配信を行うサーバ装置である。例えば、配信装置１００は、端末装置２０から動画広告リクエストを受付けると、ＣＴＲ等から決定した配信対象の動画広告を端末装置２０に配信する。また、配信装置１００は、端末装置２０の所在地やユーザの属性等からユーザと動画広告とのマッチングをさらに行うことにより、配信対象の動画広告を決定してもよい。
【００２８】
〔３．配信装置の構成〕
次に、図３を用いて、実施形態に係る配信装置１００の構成について説明する。図３は、実施形態に係る配信装置１００の構成例を示す図である。図３に示すように、配信装置１００は、通信部１１０と、動画情報記憶部１２０と、制御部１３０とを有する。
【００２９】
通信部１１０は、例えば、ＮＩＣ（Network  Interface  Card）等によって実現される。そして、通信部１１０は、ネットワークＮと有線又は無線で接続され、広告主端末１０や端末装置２０やコンテンツサーバ３０との間で情報の送受信を行う。
【００３０】
動画情報記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。動画情報記憶部１２０は、制御部１３０における入稿受付部１３１を介して広告主端末１０から入稿された動画広告及び音声情報に関する各種情報を記憶する。
【００３１】
ここで、図４に、実施形態に係る動画情報記憶部１２０の一例を示す。図４に示した例では、動画情報記憶部１２０は、「動画広告」、「音声情報」、「ＣＴＲ」、「配信割合」といった項目を有する。
【００３２】
「動画広告」は、広告主端末１０から入稿された動画広告を示す。図４では「動画広告」に「Ａ１」といった概念的な情報が格納される例を示したが、実際には、動画像、又は、これらの格納場所を示すファイルパス名などが格納される。
【００３３】
「音声情報」は、広告主端末１０から入稿された音声情報を示す。図４では「音声情報」に「Ｖ１〜Ｖ３」といった概念的な情報が格納される例を示したが、実際には、音声データ、又は、これらの格納場所を示すファイルパス名などが格納される。
【００３４】
「ＣＴＲ」は、異なる複数の音声情報のいずれかを付加した動画広告の配信実績であり、動画広告がクリックされた回数を動画広告の表示回数によって除算した値を示す。
【００３５】
「配信割合」は、異なる複数の音声情報のいずれかを付加した動画広告の配信比率を示す。例えば、図４では、ＣＴＲに基づいて、動画広告Ａ１と音声Ｖ１との組合せと、動画広告Ａ１と音声Ｖ２との組合せと、動画広告Ａ１と音声Ｖ３との組合せの配信割合が２：７：１と格納される。図４では「動画広告Ａ１と音声Ｖ１との組合せと、動画広告Ａ１と音声Ｖ２との組合せと、動画広告Ａ１と音声Ｖ３との組合せの配信割合が２：７：１」といったある場面における配信割合の値が格納される例を示したが、実際には、端末装置２０から動画広告がクリックされたと通知が来る毎に、配信割合は更新される。
【００３６】
制御部１３０は、例えば、ＣＰＵ（Central  Processing  Unit）やＭＰＵ（Micro  Processing  Unit）等によって、配信装置１００内部の記憶装置に記憶されている各種プログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３７】
図３に示すように、制御部１３０は、コントローラ（Controller）であり、入稿受付部１３１と、要求受付部１３２と、取得部１３３と、決定部１３４と、配信部１３５とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００３８】
入稿受付部１３１は、所定のコンテンツとして動画広告と、複数の付加情報として複数の音声情報との入稿を広告主端末１０から受け付ける。また、入稿受付部１３１は、受け付けた動画広告と複数の音声情報を動画情報記憶部１２０に格納する。このとき、例えば、入稿受付部１３１は、動画広告と複数の音声情報とが入稿された時点では、音声情報を付加した動画広告の配信割合について１：１：１のように均等となるように格納する。
【００３９】
要求受付部１３２は、端末装置２０から動画広告の配信要求を受け付ける。例えば、要求受付部１３２は、コンテンツサーバ３０から配信されたウェブコンテンツ等のコンテンツに設定される動画広告枠に従って、動画情報記憶部１２０からかかる動画広告枠に表示するための動画広告の配信要求を受け付ける。
【００４０】
取得部１３３は、音声情報が付加された動画広告の配信実績として、異なる複数の音声情報のいずれかと動画広告との組合せ毎に、音声情報が付加された動画広告のＣＴＲを配信実績として取得する。具体的には、取得部１３３は、要求受付部１３２が端末装置２０から動画広告配信の要求を受け付けた場合に、動画情報記憶部１２０から配信対象である動画広告のＣＴＲを配信実績として取得する。例えば、配信対象である動画広告を動画広告Ａ１とする。図４に示すように、取得部１３３は、要求受付部１３２が配信要求を受け付けた場合に、動画情報記憶部１２０から動画広告Ａ１と音声情報Ｖ１との組合せにおけるＣＴＲ「０．２」を取得し、動画広告Ａ１と音声情報Ｖ２との組合せにおけるＣＴＲ「０．７」を取得し、動画広告Ａ１と音声情報Ｖ３との組合せにおけるＣＴＲ「０．１」を取得する。
【００４１】
決定部１３４は、取得部１３３によって取得された配信実績に基づいて、異なる複数の音声情報と動画広告との各組合せにおける配信割合を決定する。具体的には、決定部１３４は、取得部１３３が取得した異なる複数の音声情報と動画広告との各組合せにおける配信実績に基づいて、ＣＴＲが相対的に高かった音声情報が付加された動画広告の配信割合を増やし、ＣＴＲが相対的に低かった音声情報が付加された動画広告の配信割合を減らす。
【００４２】
例えば、動画情報記憶部１２０に記憶されている「動画広告Ａ１と音声Ｖ１との組合せと、動画広告Ａ１と音声Ｖ２との組合せと、動画広告Ａ１と音声Ｖ３との組合せの配信割合が１：１：１」だったとする。この場合、決定部１３４は、動画情報記憶部１２０に記憶されている配信割合を参照して、入稿受付部１３１が初期に設定した「動画広告Ａ１と音声Ｖ１との組合せと、動画広告Ａ１と音声Ｖ２との組合せと、動画広告Ａ１と音声Ｖ３との組合せの配信割合１：１：１」を「動画広告Ａ１と音声Ｖ１との組合せと、動画広告Ａ１と音声Ｖ２との組合せと、動画広告Ａ１と音声Ｖ３との組合せの配信割合２：７：１」に更新する。
【００４３】
なお、上述の例では、「動画広告Ａ１と音声Ｖ１との組合せと、動画広告Ａ１と音声Ｖ２との組合せと、動画広告Ａ１と音声Ｖ３との組合せの配信割合２：７：１」に更新するといったある場面における配信割合の値が更新される例を示したが、実際には、更新される配信割合の大小関係がＣＴＲの大小関係と同じであればよく、端末装置２０から動画広告がクリックされたことを示すクリック通知を受信する毎に、配信割合として任意の値が更新される。
【００４４】
配信部１３５は、異なる複数の音声情報のいずれかを付加した動画広告を配信割合に基づいて配信する。具体的には、配信部１３５は、動画情報記憶部１２０に記憶されている配信割合を参照して、端末装置２０に対して、異なる複数の音声情報のいずれかを付加した動画広告を配信する。例えば、配信部１３５は、仮に動画情報記憶部１２０に記憶されている「動画広告Ａ１と音声Ｖ１との組合せと、動画広告Ａ１と音声Ｖ２との組合せと、動画広告Ａ１と音声Ｖ３との組合せの配信割合が２：７：１」だったとする。この場合、配信部１３５は、１０回のうち２回の割合で動画広告Ａ１と音声Ｖ１との組合せを配信し、１０回のうち７回の割合で動画広告Ａ１と音声Ｖ２との組合せを配信し、１０回のうち１回の割合で動画広告Ａ１と音声Ｖ３との組合せを配信する。
【００４５】
また、配信部１３５は、複数の音声情報のいずれかを付加した動画広告を配信割合に基づいて配信した後、端末装置２０に配信した動画広告がユーザによりクリックされた場合には、端末装置２０からクリックされた旨のクリック通知を受信する。この場合、配信部１３５は、クリック通知に基づいて、クリックされた動画広告に対応する動画情報記憶部１２０のＣＴＲを更新する。例えば、音声情報Ｖ１を付加した動画広告Ａ１を配信したとする。この場合、配信部１３５は、音声情報Ｖ１を付加した動画広告Ａ１における配信回数の総計とクリック回数の総計とを保持する。そして、配信部１３５は、定期的（例えば、１時間毎や１日毎）に、「クリック回数の総計」を「配信回数の総計」により除算することでＣＴＲを算出し、動画情報記憶部１２０に記憶されている音声情報Ｖ１を付加した動画広告Ａ１におけるＣＴＲを更新する。なお、配信装置１００は、動画広告を配信した場合には配信数に一を加算し、クリック通知を受信した場合にはクリック数に一を加算する。
【００４６】
〔４．配信装置による配信処理手順の一例を示すフローチャート〕
次に、図５を用いて、配信装置１００による配信処理手順の一例の手順について説明する。図５は、実施形態に係る配信装置１００による配信処理手順を示すフローチャートである。なお、図５に示す配信装置１００の情報処理手順は、配信装置１００の取得部１３３及び決定部１３４により行われる。
【００４７】
図５に示すように、要求受付部１３２は、端末装置２０から、動画広告配信の要求を受け付けたか否かを判定する（ステップＳ１０１）。そして、要求受付部１３２は、動画広告配信の要求を受け付けていない場合（ステップＳ１０１；Ｎｏ）、受け付けるまで待機する。
【００４８】
一方、動画広告配信の要求を受け付けた場合（ステップＳ１０１；Ｙｅｓ）、取得部１３３は、動画情報記憶部１２０からＣＴＲを配信実績として取得する（ステップＳ１０２）。
【００４９】
続いて、決定部１３４は、取得部１３３が取得した配信実績を基にして、異なる複数の音声情報のいずれかと動画広告との各組合せにおける配信割合を決定する（ステップＳ１０３）。そして、配信部１３５は、決定部１３４が決定した配信割合に基づいて、端末装置２０に、異なる複数の音声情報のいずれかを付加した動画広告を配信する（ステップＳ１０４）。
【００５０】
続いて、クリック通知を受けた場合に、配信部１３３は、動画広告のＣＴＲを更新することで、配信実績を更新する（ステップＳ１０５）。
【００５１】
なお、上記実施形態において、配信装置１００による配信処理手順の一例の手順について説明したが、配信装置１００による配信処理手順は、図５に示したフローチャート以外でもよい。例えば、配信装置１００は、ステップＳ１０５におけるＣＴＲ更新処理ののちに、配信割合を更新する処理を行ってもよい。この場合、配信装置１００は、配信要求を受け付けたときに、ステップＳ１０２とステップＳ１０３とをせずに、動画情報記憶部１２０に記憶されている配信割合に基づいて、複数の音声情報のいずれかを付加した動画広告を配信する。
【００５２】
〔５．変形例〕
上述した配信装置１００は、上記実施形態以外にも種々の異なる形態にて実施されてよい。そこで、以下では、配信装置１００の他の実施形態について説明する。
【００５３】
〔５−１．動画広告〕
上記実施形態において、動画広告の代わりに、静止画像や、テキストデータなどを適用できる。また、配信装置１００は、動画広告に限らず、各種のコンテンツを対象としてもよい。例えば、配信装置１００は、広告目的でないコンテンツ（例えば、ウェブコンテンツに含まれる記事やリンクなど）を配信してもよい。
【００５４】
〔５−２．音声情報〕
上記実施形態では、配信装置１００の入稿受付部１３１が受け付ける複数の音声情報として、メロディが異なるＢＧＭや、テンポが異なるＢＧＭ等を例に挙げて説明した。しかし、入稿受付部１３１は、複数の音声情報として、同一のナレーションや歌詞ではあるが声質が異なる複数の音声情報を受け付けてもよい。例えば、入稿受付部１３１は、異なる声優によるナレーションを複数の音声情報として受け付けてもよいし、異なる歌手によって歌われている楽曲を複数の音声情報として受け付けてもよい。また、入稿受付部１３１は、同一のナレーションであるが口調が異なる複数の音声情報を受け付けてもよい。例えば、入稿受付部１３１は、所定のナレーター（同一のナレーターであってもよいし、異なるナレーターであってもよい）が喜怒哀楽ごとに口調を異ならせて読み上げたナレーションを複数の音声情報として受け付けてもよい。
【００５５】
また、入稿受付部１３１は、所定のナレーター（同一のナレーターであってもよいし、異なるナレーターであってもよい）が方言ごとに口調を異ならせて読み上げたナレーションを複数の音声情報として受け付けてもよい。なお、上記例では、入稿受付部１３１が複数の音声情報における配信割合の初期値として１：１：１を設定する例を示したが、入稿受付部１３１は、方言ごとに異なる複数の音声情報を受け付ける場合には、配信割合の初期値を設定しなくてもよい。この場合、配信部１３５は、端末装置２０の所在地に対応する方言の音声情報を付加した動画広告を優先して端末装置２０に配信してもよい。例えば、配信部１３５は、地域Ａに所在する端末装置２０に対しては、地域Ａに対応する方言の音声情報を付加した動画広告を、他の地域に対応する方言の音声情報を付加した動画広告よりも高い割合で配信する。一例を挙げると、配信部１３５は、地域Ａに対応する方言の音声情報を付加した動画広告と、他の地域に対応する方言の音声情報を付加した動画広告との配信割合の初期値を７：３等とする。そして、配信装置１００は、ＣＴＲ等の配信実績が蓄積されるにつれて、初期値の配信割合を更新する。
【００５６】
また、入稿受付部１３１は、所定のナレーター（同一のナレーターであってもよいし、異なるナレーターであってもよい）が語尾を変化させたナレーションを複数の音声情報として受け付けてもよい。また、入稿受付部１３１は、読み上げられる内容が異なる（すなわち、ナレーションの内容が異なる）複数の音声情報を受け付けてもよい。
【００５７】
〔５−３．複数の音声情報の作成〕
上記実施形態において、配信装置１００の入稿受付部１３１は、広告主から一つの音声情報を受け付けてもよい。この場合、入稿受付部１３１は、受け付けた一つの音声情報から、異なる複数の音声情報を作成してもよい。例えば、入稿受付部１３１は、広告主から受け付けた一つの音声情報を基に、音声のテンポ、音量、抑揚、方言、読み上げ内容、語尾、ユーザごとにナレーター及び声優を変えることで、異なる音声情報を複数作成する。
【００５８】
例えば、配信装置１００の入稿受付部１３１は、所定の広告主から一つの音声情報としてナレーターが読み上げるナレーションを受け付けるとする。この場合、入稿受付部１３１は、かかるナレーションから読み上げ内容の異なる複数のナレーションを作成する。続いて、配信装置１００の配信部１３５は、複数のナレーションのいずれかを付加した所定の動画広告を配信することで、動画広告と複数のナレーションのいずれかとの各組合せにおけるＣＴＲを蓄積する。そして、配信装置１００の取得部１３３は、かかるＣＴＲに基づいて、配信実績を更新する。続いて、配信装置１００の決定部１３４は、取得部１３３によって取得された配信実績に基づいて、異なる複数のナレーションと動画広告との各組合せにおける配信割合を更新する。
【００５９】
〔５−４．ユーザ反応の取得（１）〕
また、上記実施形態において、配信装置１００の取得部１３３は、配信実績としてＣＴＲではなく、インプレッション数、ＣＰＭ（Cost  Per  Mille）、クリック数、ＣＰＣ（Cost  Per  Click）、ＣＰＡ（Cost  Per  Action，  Cost  Per  Acquisition）、閲覧時間の長さのいずれか一つを取得してもよい。
【００６０】
〔５−５．ユーザ反応の取得（２）〕
また、上記実施形態において、配信装置１００の取得部１３３は、配信装置１００の運用前にテスト配信した場合における動画広告のＣＴＲを配信実績として取得してもよい。
【００６１】
〔５−６．配信部の処理（１）〕
上記実施形態において、配信装置１００の配信部１３５は、動画情報記憶部１２０に記憶されている配信割合を参照して、端末装置２０に対して、異なる複数の音声情報のいずれかを付加した動画広告を配信するが、配信装置１００の配信部１３５は、すべての音声情報をランダムな順番に付加した動画広告を、端末装置２０に対して、配信してもよい。具体的には、配信部１３５は、動画情報記憶部１２０に記憶されている複数の音声情報を同一の動画広告にすべて付加し、端末装置２０に配信する。このとき、音声情報は、ランダムな順番で動画広告に付加される。例えば、図１の例において、配信部１３５は、動画広告Ａ１の再生時間Ｔ１〜Ｔ２に音声情報Ｖ３を付加し、動画広告Ａ１の再生時間Ｔ２〜Ｔ３に音声情報Ｖ１を付加し、動画広告Ａ１の再生時間Ｔ３〜Ｔ４に音声情報Ｖ２を付加する。なお、ここでは、Ｔ１＜Ｔ２＜Ｔ３＜Ｔ４であるものとする。
【００６２】
そして、配信部１３５は、端末装置２０から動画広告のクリック通知を受信する場合に、クリックされたタイミングとして動画広告の再生時間を端末装置２０から受信する。この場合、配信部１３５は、クリックされたタイミング（動画広告の再生時刻）に対応する音声情報のクリック数に一を加算する。例えば、上記例の場合において、配信部１３５は、端末装置２０から、動画広告Ａ１の再生時間Ｔ２´（Ｔ２＜Ｔ２´＜Ｔ３とする）にクリックされたことを示すクリック通知を受信したものとする。この場合、配信部は、動画広告Ａ１と音声情報Ｖ１〜Ｖ３との各組合せの配信数に一を加算するとともに、動画広告Ａ１と音声情報Ｖ１との組合せのクリック数に一を加算する。これにより、動画広告Ａ１と音声情報Ｖ１との組合せのＣＴＲが増加することになるので、決定部１３４は、動画広告Ａ１と音声情報Ｖ１との組合せにおける配信割合を他の組合せよりも高くすることとなる。
【００６３】
〔５−７．配信部の処理（２）〕
また、上記実施形態において、配信装置１００の配信部１３５は、音声が流れているか否かに関わらず、クリック通知を受信した場合にはクリック数に一を加算するが、音声が流れている（消音状態ではない）ときだけクリック数に一を加算してもよい。具体的には、配信部１３５は、端末装置２０を操作しているユーザが動画広告をクリックした場合に、音声が流れている場合にはクリック数を更新し、消音状態の場合にはクリック数を更新しない。例えば、配信部１３５は、端末装置２０に動画広告を配信した後、端末装置２０からユーザが動画広告をクリックしたという通知を受け取る。このとき、配信部１３５は、音声が流れている状態で動画広告がクリックされたか否かを示す情報を端末装置２０から取得する。そして、配信部１３５は、音声が流れている状態でクリックされた場合にはクリック数に一を加算し、音声が流れている消音状態でクリックされた場合にはクリック数を更新しない。なお、配信部１３５は、動画広告がクリックされたか否かにかかわらず、消音状態で動画広告が再生されたか否かを示す情報を端末装置２０から受信してもよい。この場合、配信部１３５は、消音状態の場合には配信回数を更新しなくてもよい。消音状態で動画広告をクリックされた場合には、音声情報がユーザの興味関心を惹きつけたとはいえないが、配信装置１００は、消音状態か否かに応じてクリック数の更新を制御することで、高精度に音声情報の配信割合を調整することができる。
【００６４】
〔５−８．決定部の処理〕
上記実施形態において、配信装置１００の決定部１３４は、動画広告と異なる複数の音声情報のいずれかとの各組合せにおける配信実績に基づいて、動画広告と異なる複数の音声情報のいずれかとの各組合せにおける配信割合を決定するが、上記動画広告とは異なる動画広告と異なる複数の音声情報のいずれかとの各組合せにおける配信割合を決定してもよい。例えば、決定部１３４は、動画広告Ａ１と異なる複数の音声情報Ｖ１〜Ｖ３のいずれかとの各組合せにおける配信実績に基づいて、動画広告Ａ１とは異なる動画広告Ａ２と異なる複数の音声情報Ｖ１〜Ｖ３のいずれかとの各組合せにおける配信割合を決定してもよい。
【００６５】
〔５−９．ターゲティング配信〕
上記実施形態において、配信装置１００は、配信装置１００が予め取得したユーザに関する情報（以下、ユーザ情報）に基づいて、ターゲティング配信を行ってもよい。この点について図１を用いて説明する。
【００６６】
実施形態に係る配信装置１００は、広告主端末１０から、動画広告と、かかる動画広告に付加される複数の音声情報との入稿を受け付け、異なる複数の音声情報のいずれかを付加した動画広告を端末装置２０に配信する。このとき、配信装置１００は、ユーザ情報を利用して、配信対象先であるユーザと、配信される動画広告と音声情報との組合せとの適切なマッチング処理を実行し、ターゲティング配信を行う。
【００６７】
なお、ユーザ情報とは、一般ユーザによって操作される情報処理端末である端末装置２０がウェブサイトにアクセスした際のログ（log）データや、ログデータから導出される各種情報をいう。すなわち、ユーザ情報は、ユーザがアクセスしたウェブサイトの識別情報や、アクセスした日時や、ウェブコンテンツにおいてバナー広告をクリックしたことを示す情報や、ショッピングページにおいて商品を購買した履歴など、ネットワーク上のユーザの種々の行動履歴を含む。以下では、このようなネットワーク上のユーザの行動履歴を、ユーザの行動情報と表記する場合がある。また、ユーザ情報には、特定のウェブサイトへの会員登録や、ウェブサイトへのアクセス履歴や、ショッピングサイトでの購入履歴等から導かれるユーザの属性情報（例えば、ユーザの年齢、性別、居住地、嗜好、年収など）が含まれる。
【００６８】
例えば、配信装置１００は、ウェブサイトにアクセスした端末装置２０が動画広告の配信要求を送信した場合に、当該端末装置２０からユーザ情報を取得する。そして、配信装置１００は、ユーザの属性情報毎に動画情報記憶部１２０を作成する。続いて、配信装置１００は、ユーザの属性情報毎に作成した配信割合に基づいて、異なる複数の音声情報のいずれかを付加した動画広告を配信する。この場合、ユーザ情報は、どのようなユーザ層に対して動画広告を配信させたいかといった要望に応じて、例えば、配信装置１００に入稿される際に広告主によって設定されてもよい。
【００６９】
このように、実施形態に係る配信装置１００は、異なる複数の音声情報の中から、ユーザ情報に適した音声情報と動画広告との組合せを決定する。配信装置１００は、異なる複数の音声情報のいずれかと動画広告との組合せ毎に配信割合をユーザ毎に最適化し、ターゲティング配信を行ってもよい。
【００７０】
〔５−１０．配信する端末装置〕
上記実施形態において、配信装置１００は、デジタルサイネージ装置や電車の広告等に複数の音声情報のいずれかと動画広告とを配信してもよい。例えば、配信装置１００は、配信実績が取得可能な媒体（ブラウザに表示されるウェブページやアプリに表示されるコンテンツ等）で提供した動画広告に対応する配信実績から決定された配信割合に基づいて、デジタルサイネージ装置や電車の広告等に配信する動画広告の配信割合を決定してもよい。
【００７１】
〔５−１１．付加情報〕
上記実施形態において、配信装置１００は、一つの動画広告に付加される付加情報として複数の字幕情報の入稿を受け付けてもよい。なお、字幕情報とは、動画広告に対応するナレーションや、商品や企業等の説明文等を示す。
【００７２】
この場合、配信装置１００の配信部１３５は、所定の動画広告に複数の字幕情報のいずれかを付加して配信することで、動画広告と複数の字幕情報のいずれかとの各組合せにおけるＣＴＲを蓄積する。続いて、配信装置１００の取得部１３３は、かかるＣＴＲに基づいて、配信実績を更新する。そして、配信装置１００の決定部１３４は、取得部１３３によって取得された配信実績に基づいて、異なる複数の字幕情報と動画広告との各組合せにおける配信割合を更新する。
【００７３】
〔５−１２．入稿形態〕
上記実施形態において、動画広告と、異なる複数の音声情報とが配信装置１００に入稿されるが、入稿形態は、上記のように動画広告と異なる複数の音声情報との入稿に限らなくてもよい。具体的には、配信装置１００は、同一の映像に対して音声情報が異なる複数の動画広告の入稿を受け付けてもよい。
【００７４】
〔６．ハードウェア構成〕
また、上述してきた実施形態に係る端末装置２０及び配信装置１００は、例えば図６に示すような構成のコンピュータ１０００によって実現される。以下、配信装置１００を例に挙げて説明する。図６は、配信装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【００７５】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【００７６】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００がネットワークＮを介して生成したデータを他の機器へ送信する。
【００７７】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【００７８】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００７９】
例えば、コンピュータ１０００が実施形態に係る配信装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、動画情報記憶部１２０内のデータが格納される。コンピュータ１０００のＣＰＵ１１００は、これらのプログラムを記録媒体１８００から読み取って実行するが、他の例として、他の装置からネットワークＮを介してこれらのプログラムを取得してもよい。
【００８０】
また、例えば、コンピュータ１０００が実施形態に係る端末装置２０として機能する場合、コンピュータ１０００のＣＰＵ１１００は、ＲＡＭ１２００上にロードされたプログラムを実行することにより、制御部１３０の機能を実現する。
【００８１】
〔７．効果〕
上述してきたように、実施形態に係る配信装置１００は、取得部１３３と、決定部１３４とを有する。取得部１３３は、音声情報（付加情報の一例に相当）が付加された動画広告（コンテンツの一例に相当）の配信実績として、異なる複数の音声情報のいずれかと動画広告との組合せ毎に、かかる動画広告の配信実績を取得する。決定部１３４は、取得部１３３によって取得された動画広告の配信実績に基づいて、所定の動画広告に付加する音声情報を決定する。
【００８２】
これにより、実施形態に係る配信装置１００は、ユーザから何らかの成果を得ることのできる可能性が高い動画広告と音声情報との組合せや、クリック率が高くなると想定される動画広告と音声情報との組合せを広告主に提示することができ、所定の動画広告に対応する音声情報の最適化を行うことで、高い訴求効果を実現することができる。
【００８３】
また、実施形態に係る配信装置１００において、取得部１３３は、動画広告の配信実績として、複数の音声情報のいずれかと所定の動画広告との組合せ毎に、配信実績を取得し、決定部１３４は、異なる複数の音声情報のうち、所定の動画広告に付加する音声情報を決定する。
【００８４】
また、実施形態に係る配信装置１００において、決定部１３４は、異なる複数の音声情報のうち、動画広告とは異なる所定の動画広告に付加する音声情報を決定する。
【００８５】
これにより、実施形態に係る配信装置１００は、異なる動画広告に対応した音声情報をユーザ毎に最適化することができるので、動画広告の内容に依存せず、有益な動画広告表示を実現でき、動画広告の訴求効果を向上することができる。
【００８６】
また、実施形態に係る配信装置１００において、決定部１３４は、異なる複数の音声情報のいずれかと所定の動画広告との各組合せにおける配信割合を決定する。
【００８７】
これにより、実施形態に係る配信装置１００は、異なる複数の音声情報のいずれかと動画広告との各組合せにおける配信割合を調整することで、動画広告の訴求効果を向上することができる。
【００８８】
また、実施形態に係る配信装置１００において、所定の動画広告と複数の音声情報とを所定の広告主から受け付ける入稿受付部１３１をさらに備え、決定部１３４は、入稿受付部１３１によって受け付けられた複数の音声情報のうち、所定の動画広告に付加する音声情報を決定する。
【００８９】
これにより、実施形態に係る配信装置１００は、広告主が入稿した動画広告に対応した音声情報を最適化することができるので、広告主にとって有益な動画広告表示を実現できる。
【００９０】
また、実施形態に係る配信装置１００において、取得部１３３は、配信実績として、動画広告のインプレッション数、ＣＰＭ（Cost  Per  Mille）、クリック数、ＣＰＣ（Cost  Per  Click）、ＣＰＡ（Cost  Per  Action，  Cost  Per  Acquisition）、閲覧時間のいずれか一つを取得する。
【００９１】
これにより、実施形態に係る配信装置１００は、動画広告に対するユーザの反応をさまざまな指標から取得できるため、異なる複数の音声情報のうちから動画広告に最適な音声情報を決定できる。
【００９２】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００９３】
１  配信システム
１０  広告主端末
２０  端末装置
３０  コンテンツサーバ
１００  配信装置
１１０  通信部
１２０  動画情報記憶部
１３０  制御部
１３１  入稿受付部
１３２  要求受付部
１３３  取得部
１３４  決定部
１３５  配信部
【図１】
2018200615.tif 000003
【図２】
2018200615.tif 000004
【図３】
2018200615.tif 000005
【図４】
2018200615.tif 000006
【図５】
2018200615.tif 000007
【図６】
2018200615.tif 000008